(57)【要約】【課題】互い分離した下部構造と上部構造との間に設置されている既存の免震装置を交換する際、免震装置に代わって上部構造を一時的に支持するジャッキの上に位置する梁を補強する上で、梁が鉄骨造である場合に、梁の補強のために鋼材の溶接を不要にする。【解決手段】梁４の軸方向に、ジャッキ１０が設置される範囲の梁４のウェブ４ａとフランジ４ｂ、４ｃとで囲まれた、ウェブ４ａを挟んだ両側の各領域にセメント系材料の充填材を硬化させた補強部６を形成する。ジャッキ１０回収時の補強部６の回収に備え、少なくともウェブ４ａの厚さ方向両側の面に補強部６を離脱させるための剥離用材１４を接触させる。【選択図】図１
2019090296.tif 000002
【特許請求の範囲】
【請求項１】
互い分離した下部構造と上部構造との間に設置されている免震装置の交換時に、前記免震装置に支持されている前記上部構造の、ウェブとフランジを有する梁の内、前記免震装置の周囲に位置し、前記下部構造との間にジャッキが設置される部分を補強した梁の補強構造であり、
前記梁の軸方向に、前記ジャッキが設置される範囲の前記ウェブと前記フランジとで囲まれた、前記ウェブを挟んだ両側の各領域にセメント系材料の充填材を硬化させた補強部が形成されていることを特徴とする免震装置の交換時用上部構造梁の補強構造。
【請求項２】
前記ウェブを厚さ方向に貫通し、前記ウェブの厚さ方向両側にボルトが突出し、このボルトの、前記ウェブから距離を置いた位置に、前記充填材を充填し、前記補強部を形成するためのせき板を保持する保持材が配置され、保持されていることを特徴とする請求項１に記載の免震装置の交換時用上部構造梁の補強構造。
【請求項３】
少なくとも前記ウェブの厚さ方向両側の面に前記補強部を離脱させるための剥離用材が接触していることを特徴とする請求項１、もしくは請求項２に記載の免震装置の交換時用上部構造梁の補強構造。
【請求項４】
前記ウェブを挟んで形成された前記補強部の、前記ウェブの厚さ方向両側の表面に頭部が露出しながら、前記補強部中に定着材が埋設され、この定着材の前記ウェブ側に、前記梁の軸方向に沿って埋設された棒材が接続されていることを特徴とする請求項１乃至請求項３のいずれかに記載の免震装置の交換時用上部構造梁の補強構造。
【請求項５】
前記定着材の前記頭部は、前記ジャッキと前記梁との間に介在させられる架台に接合される接合材が接合されていることを特徴とする請求項４に記載の免震装置の交換時用上部構造梁の補強構造。
【発明の詳細な説明】
【技術分野】
【０００１】
本発明は互い分離した下部構造と上部構造との間に設置されている既存の免震装置を交換する際、免震装置に代わって上部構造を一時的に支持するジャッキの上に位置する梁を補強した免震装置の交換時用上部構造梁の補強構造に関するものである。
【背景技術】
【０００２】
下部構造と上部構造間に設置されている免震装置を交換する場合、免震装置が支持している上部構造の鉛直荷重を免震装置に代わって負担するジャッキを免震装置の周辺に設置することが必要になる（特許文献１〜３参照）。ジャッキは免震装置の回収前に設置されるため、柱の下方ではなく、上部構造の最下部の梁等の下に設置される。
【０００３】
この関係で、ジャッキが上部構造を支持するときには、柱から下部構造に伝達される鉛直荷重とジャッキからの反力が同一軸線上に位置しないことから、梁には柱とジャッキとの間の距離に応じた曲げモーメント及びせん断力と圧縮力が作用するため、それらの力に対して梁を補強する必要が生じる（特許文献２、３参照）。
【０００４】
梁がジャッキに支持されている間の梁の補強方法は、梁が鉄筋コンクリート造か鉄骨造かにより異なり、鉄筋コンクリート造の場合には例えば既存の柱の回りに増し打ちコンクリートを打設し、柱と梁の必要区間の剛性を増すことが行われる（特許文献２の段落００１４）。梁が鉄骨造の場合で、特にＨ形鋼である場合には曲げ剛性及びせん断力と圧縮力に対する耐力を付与するために主に上下フランジ間にスチフナ等の鋼製の補剛材を接合することが行われる（特許文献３の段落００２８）。
【先行技術文献】
【特許文献】
【０００５】
【特許文献１】特開平１１−１８２０５５号公報（図１、図５）
【特許文献２】特開２００１−２００６４３号公報（段落００１２〜００２４、図１〜図６）
【特許文献３】特開２００８−１６３６３６号公報（段落００２６〜００４９、図１〜図９）
【発明の概要】
【発明が解決しようとする課題】
【０００６】
但し、補剛材の接合は溶接に依存することから（段落００２８）、溶接作業が構造物内での火気の使用に当たるため、安全上、作業自体が好ましくない上、溶接熱の影響が鉄骨梁（母材）の形状と強度に及ぶ可能性があるため、補剛材の接合（溶接）が梁の補強に十分な効果を発揮しないことが考えられる。
【０００７】
またジャッキの設置に適した柱の付近は、予め柱周囲に溶接されたブラケットと鉄骨梁（本体）との継手箇所かその付近であることが多い。継手箇所にはブラケットと鉄骨梁との間には継手プレートが跨っているため、補剛材を溶接するには、継手プレートを外した、柱から遠い区間に溶接せざるを得ないこともある（特許文献３の図１）。その場合、補剛材の溶接位置にジャッキを設置することになるため、梁に作用する曲げモーメントが増大する不都合がある。
【０００８】
本発明は上記背景より、梁が鉄骨造（鉄骨梁）である場合に、梁の補強のために補剛材の溶接を要しない形態の免震装置の交換時用の上部構造梁の補強構造を提案するものである。
【課題を解決するための手段】
【０００９】
請求項１に記載の免震装置の交換時用上部構造梁の補強構造は、互い分離した下部構造と上部構造との間に設置されている免震装置の交換時に、前記免震装置に支持されている前記上部構造の、ウェブとフランジを有する梁の内、前記免震装置の周囲に位置し、前記下部構造との間にジャッキが設置される部分を補強した梁の補強構造であり、
前記梁の軸方向に、前記ジャッキが設置される範囲の前記ウェブと前記フランジとで囲まれた、前記ウェブを挟んだ両側の各領域にセメント系材料の充填材を硬化させた補強部が形成されていることを構成要件とする。
【００１０】
「ウェブとフランジを有する梁」はウェブとフランジを有するＨ形鋼等の鉄骨梁であるが、断面形状はＨ形であるとは限らず、ウェブが厚さ方向に並列する箱形、またはそれに近い断面形状の梁を含む。「ジャッキが設置される範囲」は梁の全長の内、柱（免震装置）から距離を置いて梁と下部構造との間に設置されたジャッキの上に載る区間を指す。この区間の長さはジャッキの径（幅）に一致している必要はない。
【００１１】
免震装置は上部構造の柱、もしくは柱の下方に位置する梁、またはこれらの下面側に一体化するブラケット等の支持部材と、下部構造の基礎等との間に設置されている。梁は鉄骨造であるが、免震装置の上面（上部フランジ）が接合されている部分は必ずしも鋼材とは限らない。
【００１２】
請求項１における「ウェブとフランジとで囲まれた、ウェブを挟んだ両側の各領域」とは、ウェブの厚さ方向両側においてウェブと上下のフランジとで区画された領域を指し、この領域に形成される補強部にウェブは挟まれる形になり、ウェブは厚さ方向両面側から補剛される。ウェブが並列する場合には、基本的にウェブ間の空間は除かれる。
【００１３】
「セメント系材料の充填材」は主にモルタル、コンクリート、セメントミルク等であり、硬化後に補強部として要求される圧縮強度を発現する材料を指し、混和剤や混和材が添加されることもある。ウェブとフランジとで囲まれた領域は梁を軸方向に見たときの断面上は、上下のフランジ間、及びフランジの縁、もしくは縁寄りのウェブに対向する位置に配置されたせき板９と、ウェブとフランジとで区画された領域であり、この領域に充填材が充填され、硬化することにより図１、図２に示すように補強部６が形成される。梁４の軸方向には上記のようにジャッキ１０の上に載る区間を指す。
【００１４】
せき板９は例えばウェブ４ａを貫通等するセパレータとしてのボルト８にウェブ４ａとの間隔を保持された保持材７に保持されることにより充填材の充填時に配置状態を維持する（請求項２）。保持材７はウェブ４ａから距離を置いた位置で、ウェブ４ａに対向してボルト８に保持される（請求項２）。せき板９は梁４の軸方向には充填材が充填される区間（領域）の両側の位置にも配置される。
【００１５】
充填材の硬化により形成された補強部６はウェブ４ａの厚さ方向片側毎にフランジ４ｂ、４ｃの幅に相当する厚さを持ち、梁４の軸方向にジャッキ１０の上に載る区間に跨ることによりこの区間のウェブ４ａとフランジ４ｂ、４ｃを補剛（補強）し、ウェブ４ａとフランジ４ｂ、４ｃの局部的な変形を防止しながら、梁４自体を曲げモーメントに対して補強する。補強部６の厚さは上下のフランジ４ｂ、４ｃ間に跨るせき板９の、ウェブ４ａとの間の距離により決まり、せき板９がフランジ４ｂ、４ｃの縁に接した場合が想定での最大になるが、必要であれば、フランジ４ｂ、４ｃの幅方向に縁から張り出した位置に配置され、フランジ４ｂ、４ｃとせき板９間に補助材が付加されることもある。
【００１６】
梁４がジャッキ１０に支持されることに伴う曲げモーメントに対する補剛（補強）の役目を鋼材ではなく、セメント系材料が果たすことで、ウェブ４ａとフランジ４ｂ、４ｃにスチフナ等の補剛材を溶接する場合の火気の使用がなくなるため、梁４の火気に対する安全性が確保される。併せて溶接の必要がないことで、梁４への溶接熱への影響もなくなり、梁４の強度の変化と局部的な歪みの発生も解消される。
【００１７】
また梁４の補強材が充填材の硬化した補強部６であることで、ジャッキ１０の設置箇所に、柱５に予め接合されるブラケット４１と梁本体となる鉄骨梁４２との継手箇所（継手プレート４３）が含まれるような場合にも、補強部６の形成が、補剛材を溶接する場合のように継手箇所を回避しなければならない理由がなく、継手箇所の制約がなくなる。結果として継手プレート４３がある区間においても図３、図４に示すように継手プレート４３のある区間に跨り、継手プレート４３を埋めるように補強部６を形成することができるため、ジャッキ１０の設置に伴って梁４に作用する曲げモーメントを増大させるようなこともない。
【００１８】
補強部６を形成する充填材の充填時にはウェブ４ａの厚さ方向両側に充填材の充填領域を区画するせき板９が配置される。具体的には例えば図５−（ｂ）に示すようにウェブ４ａを厚さ方向に貫通してウェブ４ａの厚さ方向両側に突出した、前記のセパレータとしてのボルト８の、ウェブ４ａから距離を置いた位置に保持された保持材７にせき板９が保持（拘束）される（請求項２）。この場合、例えば保持材７のウェブ４ａ側にせき板９が配置され、充填材の充填時の圧力による保持材７側への移動が拘束されることにより保持される。
【００１９】
せき板９を梁４に設置した状態で、せき板９の一部等に形成された充填材充填用の注入口から充填材が充填され、せき板９の他の一部等に形成された排出口から排出されたことが確認された時点で充填材の充填が完了する。充填材が必要強度を発現した後、せき板９が、またはせき板９を保持していたボルト８と保持材７と共にせき板９が回収される。
【００２０】
図３に示す免震装置３の交換が終了した後には、補強部６を支持していたジャッキ１０が回収されることから、ジャッキ１０の設置前には存在していなかった補強部６を残存させることが、交換された新たな免震装置３に偏心荷重を作用させる可能性があるため、補強部６はジャッキ１０の回収時に回収されることが適切である。
【００２１】
補強部６の回収を予定して補強部６の形成予定区間に充填材を充填しようとすれば、少なくともウェブ４ａの厚さ方向両側の面に充填材が硬化した状態の補強部６を離脱させるための剥離用材１４が接触させられる（請求項３）。剥離用材１４にはグリースを含む離型剤、もしくは剥離剤の他、充填材と梁４のウェブ４ａ及びフランジ４ｂ、４ｃへの付着を防止するためのプレート等の板材等が使用され、いずれの形態でも剥離用材１４は少なくともウェブ４ａに接触させられる。「ウェブ４ａの厚さ方向両側の面」はウェブ４ａの両面を指す。
【００２２】
「少なくともウェブ」である理由は、ウェブ４ａに付着した補強部６をウェブ４ａから離脱させようとする力は付着（接触）面に垂直な引張力になる関係で、付着状態を解除させることが難しいのに対し、フランジ４ｂ、４ｃに付着した補強部６をフランジ４ｂ、４ｃから離脱させようとする力は付着（接触）面に平行なせん断力になることで、付着状態を解除させ易いことによる。このため、上部フランジ４ｂの下面と下部フランジ４ｃの上面には必ずしも剥離用材１４を接触させる必要はない。
【００２３】
補強部６の回収時には補強部６を解体、あるいは粉砕することなく、回収できることが作業効率上、望ましい。そこで、ウェブ４ａの片側毎に補強部６を一括で回収すること可能にする手段として、例えば補強部６中に、頭部が補強部６の表面に露出する定着材１５を埋設し、定着材１５のウェブ４ａ側に梁４の軸方向に沿って埋設されるアンカーとしての棒材１６を接続することが考えられる（請求項４）。定着材１５は主に図１、図２に示すように軸方向をウェブ４ａの厚さ方向に向けた状態で、頭部を除き、補強部６内に埋設され、定着される。
【００２４】
この場合、定着材１５は補強部６をウェブ４ａから分離させるための外部からの引張力を受ける役目を持ち、棒材１６はこの引張力を梁４の軸方向に補強部６全体に分散させて伝達する役目を持つ。定着材１５は直接、もしくは間接的に揚重機等の引張力付与機が接続され、引張力や揚重力が与えられることにより引張力を棒材１６に伝達し、補強部６をウェブ４ａとフランジ４ｂ、４ｃから離脱させる。
【００２５】
定着材１５に付与される引張力の作用方向は補強部６の幅方向であるから、この引張力を棒材１６から補強部６に伝達させ、補強部６を梁４から離脱させる上では、引張力が補強部６の高さ方向中間部に作用する場合より補強部６の高さ方向の片側に寄った位置に作用する方が有利である。この関係で、定着材１５と棒材１６は梁４の上部フランジ４ｂ寄り、または図示するように下部フランジ４ｃ寄りに配置されることが合理的である。補強部６のウェブ４ａからの離脱時には、引張力を高さ方向に均等に加える場合より高さ方向の片側に集中的に加える場合の方が引張力を離脱のために効果的に作用させることができることに因る。
【００２６】
ここで、例えば定着材１５に引張力を付与する揚重機等に接続されるワイヤ等を定着材１５に接続したときに、ワイヤ等が定着材１５から抜け出す可能性がある等、定着材１５に直接、揚重機等を接続することが難しいか、定着材１５を介しての引張力の伝達が難しいことが想定される。
【００２７】
そのような場合には、定着材１５の頭部には、例えばジャッキ１０と梁４との間に介在させられる架台１１に直接、もしくは間接的に接合される接合材１３が接合される（請求項５）。接合材１３は定着材１５と架台１１との間に跨ることから、定着材１５の頭部より大きい形状を持つため、ジャッキ１０の回収時、架台１１から分離したときに、ワイヤ等を架けた状態での安定性が定着材１５に架ける場合より高まり、ワイヤ等の抜け出しの可能性が低下する。
【発明の効果】
【００２８】
梁の軸方向に、ジャッキが設置される範囲のウェブとフランジとで囲まれた、ウェブを挟んだ両側の各領域にセメント系材料の充填材を硬化させた補強部を形成することで、梁を補強するため、ウェブとフランジに補剛材を溶接する場合の火気の使用がなくなり、梁の安全性を確保することができる。同時に、梁への溶接熱への影響もなくなり、梁の強度の変化と局部的な歪みの発生を解消することができる。
【００２９】
また梁の補強材が充填材の硬化した補強部であることで、ジャッキの設置箇所にブラケットと鉄骨梁本体との継手箇所が含まれるような場合にも、補強部の形成が継手箇所に制約を受けることがなくなるため、継手プレートがある場合にも継手プレートを埋めるように補強部を形成することができる。結果として継手箇所を外した位置にジャッキを設置する場合に生じる、ジャッキの設置に伴って梁に作用する曲げモーメントを増大させるようなことはない。
【図面の簡単な説明】
【００３０】
【図１】（ａ）は上部構造の梁の上下のフランジ間に補強部を形成した様子を示した梁の立面図、（ｂ）は（ａ）のｘ−ｘ線断面図である。
【図２】（ａ）は図１−（ａ）のＡ部の拡大図、（ｂ）は図１−（ｂ）のＢ部の拡大図である。
【図３】（ａ）は補強部が継手プレートの位置に形成される場合の補強部の形成例を示した梁の立面図、（ｂ）は（ａ）のｘ−ｘ線断面図、（ｃ）は（ａ）のｙ−ｙ線断面図である。
【図４】（ａ）は図３−（ａ）のＡ部の拡大図、（ｂ）は図３−（ｂ）のＢ部の拡大図、（ｃ）は図３−（ｃ）のＣ部の拡大図である。
【図５】（ａ）は補強部となる充填材の充填領域を区画するせき板を保持する保持材と、保持材が接続されるボルトの梁への配置状態を示した立面図、（ｂ）は（ａ）のｘ−ｘ線断面図である。
【図６】免震装置が配置されている柱に接続した梁の下方へのジャッキの配置位置を示した平面図である。
【発明を実施するための形態】
【００３１】
図１は図３に示すように互い分離した下部構造１と上部構造２との間に設置されている免震装置３の交換時に、免震装置３に支持されている上部構造２の、ウェブ４ａとフランジ４ｂ、４ｃを有する梁４の内、図６に示すように免震装置３の周囲に位置し、下部構造１との間にジャッキ１０が設置される部分を補強した梁４の補強構造の例を示す。下部構造１は主に基礎コンクリートであり、上部構造２は地上構造物であるが、これには限られず、地上構造物が免震装置３を介して下部構造１と上部構造とに区分されているようなこともある。
【００３２】
図１〜図３は柱５が中柱の場合の例を示している。側柱と隅柱の場合も同様に作業されるが、側柱等の場合には、平面上、柱５の片側にしかジャッキ１０を設置する場所がないこともあることから、柱５を挟んだ両側にジャッキ１０を設置する必要性がある場合には、柱５の、梁４が接続していない側に暫定的に仮設の梁を接合することもある。
【００３３】
梁４は基本的に鉄骨造であり、セメント系材料の充填材を硬化させた補強部６がウェブ４ａの厚さ方向両側に形成されることにより、柱５を通じて免震装置３に伝達されていた上部構造２の鉛直荷重とジャッキ１０の反力とによって梁４に生じる曲げモーメントに対して補強される。補強部６は梁４の軸方向に見たときの、ジャッキ１０が設置される範囲（区間）のウェブ４ａとフランジ４ｂ、４ｃとで囲まれた、ウェブ４ａを挟んだ両側の各領域に形成される。セメント系材料は主にモルタル、コンクリートである。
【００３４】
ジャッキ１０は免震装置３の周囲の複数箇所に設置される。図６に示すように柱５の側面にブラケット４１が溶接等により突設され、ブラケット４１に梁４の本体となる鉄骨梁４２が継手プレート４３を介して接合されている場合には、原則的にはブラケット４１を外した位置にジャッキ１０が設置され、その上に補強部６が形成されるが、図３に示すように例外もある。図面では柱５が角形鋼管であり、梁４がＨ形鋼である場合の例を示しているが、柱５と梁４の形状はこれには限られない。
【００３５】
ジャッキ１０は下部構造１の上面（天端面）に直接、もしくは図示するように下部構造１の上面に仮固定されたベースプレート１０ａに固定され、ジャッキ１０の上面と梁４の下端面との間には両者間の空隙を埋める、例えば鋼材等から組み立てられた架台１１が介在させられる。架台１１が鋼材から製作される場合、架台１１の下端面はジャッキ１０の上面に着脱自在に接合され、架台８の上端面は梁４の下部フランジ４ｃの下面に着脱自在に接合される。
【００３６】
図面ではジャッキ１０の上面に接合される下部フランジ１１ａと、梁４の下部フランジ４ｃ等に接合される上部フランジ１１ｂと、両フランジ１１ａ、１１ｂを繋ぐウェブ１１ｃから架台１１を構成しているが、架台１１の形態はこれには限られず、架台１１は鋼材以外の材料から製作されることもある。架台１１の高さは図１、図３に示すように上部フランジ１１ｂ上と下部フランジ１１ａ下の少なくともいずれか一方に、１枚、もしくは複数枚の調整板１２が重ねられることにより調整可能になる。
【００３７】
図面では補強部６を梁４のフランジ４ｂ、４ｃの縁にまで形成し、補強部６の表面を梁４のフランジ４ｂ、４ｃの縁に一致させている関係で、架台１１の上部フランジ１１ｂを梁４の下部フランジ４ｃに直接、接合できる状態にないため、補強部６中に埋設され、頭部が補強部６の表面から露出する、後述の定着材１５（ボルト１５ｂ）の頭部に上部フランジ１１ｂを接合している。
【００３８】
この場合、定着材１５の軸方向が補強部６の厚さ方向を向き、上部フランジ１１ｂの板厚方向を向かないため、定着材１５と上部フランジ１１ｂが接合されるよう、図１−（ａ）、（ｂ）の拡大図である図２−（ａ）、（ｂ）に示すように定着材１５と上部フランジ１１ｂ間に山形鋼等、Ｌ形断面等の接合材１３を介在させ、そのフランジ１３ａを上部フランジ１１ｂに直接、もしくは間接的に重ね、ウェブ１３ｂを補強部６の表面と定着材１５の頭部との間に挟持させている。
【００３９】
接合材１３のウェブ１３ｂは補強部６の表面に定着材１５（ボルト１５ｂ）で接合され、フランジ１３ａは上部フランジ１１ｂと接合材１３のフランジ１３ａを貫通するボルト１７で上部フランジ１１ｂに接合される。接合材１３のフランジ１３ａが上部フランジ１１ｂに接触する場合には、フランジ１３ａは上部フランジ１１ｂに直接、重なって接合されるが、図面では接合材１３のフランジ１３ａが上部フランジ１１ｂに届かない関係で、接合材１３のフランジ１３ａと上部フランジ１１ｂ間に両者間の間隔を埋める調整板１２を挟んでいる。
【００４０】
架台１１の下部フランジ１１ａもジャッキ１０の上面、もしくは上面に接合されている上部プレートに直接、ボルト１７で接合される場合もあるが、図３では上部フランジ１１ｂと接合材１３との接合と同様に、下部フランジ１１ａとジャッキ１０の上面との間に高さ調整、または隙間調整のための１枚、もしくは複数枚の調整板１２を挟んでいる。図３に示す例では架台１１の上部フランジ１１ｂと接合材１３との間にも複数枚の調整板１２を挟んでいる。
【００４１】
充填材の充填領域を区画するためのせき板９は図５−（ａ）、（ｂ）に示すように梁４のウェブ４ａの厚さ方向両側に配置される保持材７に保持される。この保持材７を保持するために、ウェブ４ａの厚さ方向両側には図５−（ｂ）に示すようにウェブ４ａを厚さ方向に貫通するセパレータとしてのボルト８が突出し、このボルト８の軸方向のいずれかの、ウェブ４ａから距離を置いた部分に保持材７が配置され、ボルト８に保持される。保持材７は例えばボルト８に螺合するか、保持材７を挟んだ両側でボルト８に螺合するナットに挟持されることによりボルト８に接続される。
【００４２】
せき板９はウェブ４ａの軸方向にも充填材の充填領域を区画する必要から、ウェブ４ａに平行な板部分と、ウェブ４ａに垂直な板部分から平面上、Ｌ字形、もしくは溝形の形状に形成される。Ｌ字形の場合、せき板９はウェブ４ａの片側に２枚配置され、溝形の場合、せき板９はウェブ４ａの片側に１枚配置される。
【００４３】
せき板９のウェブ４ａに平行な板部分には図５−（ｂ）に示すように保持材７が重なって保持され、その上下の端部はフランジ４ｂ、４ｃの縁に重なるか、上下から突き当たる。ウェブ４ａに垂直な板部分のウェブ４ａ側の面はウェブ４ａの表面に突き当たり、フランジ４ｂ、４ｃの範囲ではフランジ４ｂ、４ｃに上下から突き当たる。充填材は例えばせき板９の下方寄りの一部に形成された注入口からせき板９とウェブ４ａ、及びフランジ４ｂ、４ｃに囲まれた空間に充填され、上方寄りの一部に形成された排出口から排出されることにより充填の完了が確認される。
【００４４】
図１は図６中、○で示すジャッキ１０を継手プレート４３の跨設区間以外の箇所に配置し、その上に補強部６を形成した場合の、充填材の充填後、せき板９を撤去した後の補強部６の形成例を示す。補強部６は平面上、架台１１の上部フランジ１１ｂが納まる程度の領域（範囲）に形成され、免震装置３の交換が完了した後には残存による免震装置３への偏心の影響を回避するために梁４から離脱させられ、回収される。図１は図６においてジャッキ１０が継手プレート４３と重ならない範囲に配置された箇所における架台１１の設置例と補強部６の形成例を示している。
【００４５】
補強部６の梁４からの離脱を容易にするために、梁４の上下部フランジ４ｂ、４ｃ間への充填材の充填時には、少なくとも梁４のウェブ４ａの両面に充填材が硬化した後の補強部６の梁４からの分離を容易にするための剥離用材１４が塗布、または設置される。剥離用材１４にはグリースその他の液体、または固体の離型剤や剥離剤の使用も可能であるが、図面では図５−（ｂ）に示すように充填材（補強部６）のウェブ４ａとの接触を回避し、充填材とウェブ４ａを分離させるプレートを使用している。「少なくともウェブ４ａの両面」とは、ウェブ４ａの両面以外に上部フランジ４ｂの下面と下部フランジ４ｃの上面にも剥離用材１４が塗布等されることがあることの意味である。
【００４６】
補強部６（充填材）が上部フランジ４ｂの下面、及び下部フランジ４ｃの上面に接触し、付着した場合に、その付着を解除させるために補強部６をフランジ４ｂ、４ｃに平行に引っ張ろうとしたときに接触（付着）面に作用する力はせん断力になり、接触面に垂直な方向の引張力を加える場合より剥離させ易い。このことから、補強部６が上部フランジ４ｂと下部フランジ４ｃに接触（付着）しても補強部６を分離させることは困難ではないため、剥離用材１４は少なくともウェブ４ａの両面に塗布等されていればよく、必ずしも上部フランジ４ｂと下部フランジ４ｃには塗布等される必要はない。
【００４７】
図５−（ｂ）に示す例の場合、剥離用材１４としてのプレートは充填材が充填される領域のウェブ４ａの両面に重ねられた状態で配置され、必要であれば、上記したボルト８のウェブ４ａ寄りの部分にナット等により保持される。ウェブ４ａを貫通するボルト８は剥離用材１４としてのプレートも貫通する。
【００４８】
補強部６中には図１−（ｂ）に示すように補強部６の回収時に補強部６を粉砕等させることなく、回収するための定着材１５が埋設され、定着材１５の頭部は回収時に補強部６に引張力を作用させるワイヤ等を接続するために補強部６の表面から露出（突出）する。定着材１５は引張力を補強部６の厚さ方向に伝達するために、軸方向を主に補強部６の厚さ方向に向けて補強部６中に埋設される。定着材１５の奥側であるウェブ４ａ寄りの部分には、定着材１５に与えられた引張力を補強部６の長さ方向（ウェブ４ａの軸方向）に分散させて補強部６に伝達するためのアンカーとしての棒材１６が接続される。
【００４９】
補強部６への引張力の付与によって補強部６を梁４から離脱させる際には、引張力を補強部６の高さ方向に分散させずに、高さ方向の片側に集中的に作用させることが、引張力を補強部６のウェブ４ａ寄りの部分に効果的に作用させることになるため、図面では定着材１５と棒材１６を梁４の下部フランジ４ｃ寄りに配置している。定着材１５と棒材１６を上部フランジ４ｂ寄りに配置しても、下部フランジ４ｃ寄りに配置した場合と補強部６の離脱上は同等であるが、前記のように定着材１５には架台１１に接合される接合材１３が接合されることから、下部フランジ４ｃ寄りに配置することが合理的である。
【００５０】
図面ではまた、定着材１５の頭部を補強部６の表面に露出させると共に、定着材１５と架台１１の上部フランジ１１ｂを連結するための、上記した接合材１３を定着材１５に接続することを可能にするために、図２に示すように定着材１５の本体１５ａとして雌ねじの切られたインサートを使用し、この本体１５ａに頭部を有するボルト１５ｂの軸部を螺合させている。この場合、定着材１５の頭部はボルト１５ｂの頭部になる。
【００５１】
定着材１５は補強部６の梁４軸方向の長さに応じ、補強部６の長さ方向の中央部に１本、または梁４の軸方向に間隔を置いて複数本、配置される。棒材１６は例えば図２−（ａ）に示すように定着材１５の本体１５ａのウェブ４ａ寄りの部分を水平方向に貫通して補強部６中に埋設される。ボルト１５ｂは補強部６の形成（充填材の硬化）後に本体１５ａに螺合させられ、接合材１３がボルト１５ｂに接合される。
【００５２】
接合材１３は前記のように定着材１５と架台１１の上部フランジ１１ｂ、または調整板１２に接合されるため、２方向に接合片（フランジ１３ａとウェブ１３ｂ）を有するＬ字形等の断面形状をする。接合材１３は定着材１５（ボルト１５ｂ）にはウェブ１３ｂにおいてボルト１５ｂの頭部と補強部６の表面に挟持された状態で接合され、上部フランジ１１ｂ等にはフランジ１３ａにおいて上部フランジ１１ｂ等と接合材１３を貫通するボルト１７で接合される。図面では補強部６の表面が梁４の下部フランジ４ｃの縁に揃えられている関係で、接合材１３は補強部５の表面に重なり、架台１１側の部分であるフランジ１３ａが下部フランジ４ｃから幅方向に張り出した状態で配置される。
【００５３】
この場合、接合材１３のウェブ１３ｂに、フランジ１３ａが架台１１の上部フランジ１１ｂの上面に接触する程度の高さを持たせることもできる。但し、前記のように接合材１３のフランジ１３ａが上部フランジ１１ｂに届かないこともあり、図面では上部フランジ１１ｂ上に、下部フランジ４ｃの厚さと等しい厚さを有する調整板１２を介在させ、調整板１２の上面に接合材１３のフランジ１３ａを接触させている。この例では接合材１３のウェブ１３ｂは補強部６の表面に接触した状態で定着材１５（ボルト１５ｂ）に接合され、フランジ１３ａは上部フランジ１１ｂ上に載置された調整板１２の上面に重なり、接合材１３と調整板１２と上部フランジ１１ｂを貫通するボルト１７で上部フランジ１１ｂに接合される。
【００５４】
免震装置３の交換後の補強部６の離脱時には、定着材１５の頭部（ボルト１５ｂ）、または接合材１３にワイヤ、ＰＣ鋼線等の引張材を接続し、引張材にウィンチや揚重機等から引張力を付与することにより補強部６が梁４から離脱させられる。補強部６の離脱作業と並行して、または前後してジャッキ１０と架台１１が回収される。
【００５５】
図３は補強部６を継手プレート４３の跨設区間に形成した場合の、充填材の充填後、せき板９を撤去した後の補強部６の形成例を示す。図３−（ａ）〜（ｃ）の詳細を図４−（ａ）〜（ｃ）に示す。この例では充填材は継手プレート４３の表面に付着することから、継手プレート４３にはプレート以外の液体、または固体の離型剤や剥離剤の剥離用材１４が塗布される。図３は図６中、○で示すジャッキ１０が継手プレート４３と重なる範囲に配置された箇所における架台１１の設置例と補強部６の形成例を示している。
【００５６】
補強部６（充填材）中への定着材１５と棒材１６の埋設、定着材１５と接合材１３との接合、及び調整板１２の使用等は図１に示す例と同様である。只、図３の例では梁４のブラケット４１と鉄骨梁４２の下部フランジ４ｃ、４ｃ間に両者を接合する継手プレート４３が跨っている関係で、定着材１５と接合材１３は継手プレート４３との干渉がない位置に配置されるべきことになる。但し、図示する例では下部フランジ４ｃ、４ｃ間の継手プレート４３が図４−（ｂ）に示すようにウェブ４ａの厚さ方向両側の、下部フランジ４ｃの幅の範囲内に納まるように配置されているため、接合材１３が図１の例と同じく補強部５の表面に重なり、架台１１側が下部フランジ４ｃから幅方向に張り出すように配置されれば、接合材１３と継手プレート４３の干渉は生じなくなっている。
【００５７】
図３、図４に示す例ではまた、架台１１の上部フランジ１１ｂの上に、上部フランジ１１ｂと同等の平面積を持つ２枚の調整板１２を重ね、上側の調整板１２の上面を下部フランジ４ｃの下面側に配置された継手プレート４３の下面に接触させている。
【００５８】
下部フランジ４ｃの下面側の継手プレート４３は下部フランジ４ｃの下面側の全面に接触する大きさの平面積を持ち、ウェブ４ａ両側の下部フランジ４ｃの上面側に配置される継手プレート４３と対になって下部フランジ４ｃを挟み込み、両継手プレート４３、４３と下部フランジ４ｃを貫通するボルト１８で下部フランジ４ｃに接合される。この関係で、下部フランジ４ｃの下面側の継手プレート４３の下面側にはボルト１８の頭部、または軸部の先端部が突出するため、下面側の継手プレート４３の下面に重なる調整板１２の、ボルト１８の頭部等が突出する部分に対応した位置には図示しないが、ボルト１８の頭部やナット等が入り込むための穴（溝）が形成されている。
【００５９】
１……下部構造、２……上部構造、３……免震装置、
４……梁、４１……ブラケット、４２……鉄骨梁、４３……継手プレート、
４ａ……ウェブ、４ｂ……上部フランジ、４ｃ……下部フランジ、
５……柱、
６……補強部、
７……保持材、８……ボルト（セパレータ）、９……せき板、
１０……ジャッキ、１０ａ……ベースプレート、
１１……架台、１１ａ……下部フランジ、１１ｂ……上部フランジ、１１ｃ……ウェブ、１２……調整板、
１３……接合材、１３ａ……フランジ、１３ｂ……ウェブ、
１４……剥離用材、
１５……定着材、１５ａ……本体、１５ｂ……ボルト（定着材の一部）、
１６……棒材、１７……ボルト（架台フランジの接合用）、
１８……ボルト（継手プレートと梁下部フランジとの接合用）。
【図１】
2019090296.tif 000003
【図２】
2019090296.tif 000004
【図３】
2019090296.tif 000005
【図４】
2019090296.tif 000006
【図５】
2019090296.tif 000007
【図６】
2019090296.tif 000008